(57)【要約】【課題】ユーザーが海外を含めて視聴を希望するテレビ等の放送のサービスエリア外に居住していても、希望する番組を視聴することを可能ならしめるための、ネットワークを利用したホスティングサービスまたは、ネットワークサービスを提供すること。【解決手段】テレビ放送等を受信し、データ化し、蓄積することのできる装置を、ユーザーが視聴を希望する放送のサービスエリア内にて預かることを特徴とするホスティングサービス、または、ネットワークサービスを提供する。本サービスにより、ユーザーは、ネットワークを通じて、ユーザー個人の装置または、ユーザーに割り当てられたリソースを遠隔操作し、その放送番組を受信し、リソース内に録画・録音し、その放送データをネットワーク経由で、ユーザーの所有する再生機能を持つ装置に転送・再生することにより、ユーザーが視聴を希望する放送のサービスエリア内に居なくても、希望する放送番組を視聴することが可能となる。【選択図】図２
2004350253.tif 000002
【特許請求の範囲】
【請求項１】
テレビ、またはラジオ等の放送を受信し、データ化し、蓄積する機能を有する、ネットワークに接続された装置をユーザーごとに用意し、その装置の管理、保管などを行うホスティングサービス、または、テレビ、あるいはラジオ等の放送を受信し、データ化し、蓄積する機能を有する、ネットワークに接続された装置を複数のユーザーに対して割り当てるネットワークサービス。
【請求項２】
さらに、ネットワークからユーザーの装置に対してアクセスの制御を行うアクセス制御装置を備えることを特徴とする請求項１に記載のホスティングサービス、またはネットワークサービス。
【請求項３】
さらに、ユーザーの基本情報やアクセス状況等のデータの蓄積等やユーザーの管理等を行うユーザー管理装置を備えることを特徴とする請求項１に記載のホスティングサービス、またはネットワークサービス。
【請求項４】
請求項１に記載された機能のうち、放送受信、データ化、蓄積の機能を、それぞれ独立した装置で構成したシステム、または、複数の機能を独立した装置で構成したシステムを用いた請求項１に記載のホスティングサービス、またはネットワークサービス。
【請求項５】
請求項１に記載された機能のうち、放送受信、データ化、蓄積の機能のうち、それぞれの機能を実現する装置を各ユーザーごとに用意するシステム、または複数のユーザーで、すべての装置、または一部の装置を共有するシステムを用いた請求項１に記載のホスティングサービス、またはネットワークサービス。
【発明の詳細な説明】
【０００１】
【発明の属する技術分野】
この発明は、テレビ放送、またはラジオ放送を、ユーザーが海外を含めて、視聴を希望する放送のサービスエリア内に住んでいなくても、インターネットや専用線ネットワークやＶＰＮネットワーク等のネットワークを利用して、視聴することを可能ならしめる装置を、放送サービスエリア内に預かる、ホスティングサービス、または、ネットワークサービスに関する。
【０００２】
【従来の技術】
従来、ユーザーが海外等、視聴を希望するテレビ放送のサービスエリア外に住んでいる場合、テレビ放送を視聴するためには、そのサービスエリア内に居る、親戚縁者、または知人などに、磁気テープ等へのテレビ放送の録画・輸送の依頼などに頼らざるを得なかった。
【０００３】
【発明が解決しようとする課題】
上記の場合、ユーザーが視聴を希望するテレビ放送のサービスエリア内に、親戚縁者または知人等、録画を依頼することができる者が居ない場合、その希望する放送を視聴することは非常に困難である。また、たとえ、そのサービスエリア内に、録画を依頼できる者が居たとしても、そのために必要な時間や費用などを考慮すると、合理的な方法であるとは言えない。
【０００４】
【課題を解決するための手段】
上記の問題を解決するために、本発明では、ユーザーが視聴を希望する放送のサービスエリア内に、ユーザー所有またはレンタルもしくはリースなどの、放送番組を受信、データ化、蓄積を行える装置を預かるホスティングサービス、または、放送番組を受信、データ化、蓄積を行える装置をユーザーに割り当てるネットワークサービスを提供する。
【０００５】
このようなサービスを提供することにより、ユーザーは、インターネットや専用線ネットワークやＶＰＮネットワーク等のネットワーク経由で、放送サービスエリア内に設置されたユーザーの装置、または、ユーザーに割り当てられたリソースを遠隔操作することによって、自由に放送を受信、蓄積することが可能となる。
【０００６】
また、ユーザーは、放送番組の蓄積が終了した後、同じく、インターネットや専用線ネットワークやＶＰＮネットワーク等のネットワーク経由で、蓄積された放送番組データを、ユーザーの所有する再生機能を持つ装置に転送・再生することにより、希望する放送番組を視聴することが可能となる。
【０００７】
【発明の実施の形態】
本発明のホスティングサービスでの実施形態の１例を図１に示す。
本サービスは、所有またはレンタルもしくはリースなどで、ユーザー一人一人に対して用意された、放送番組を受信、データ化、蓄積が可能な装置である装置Ｐ−１，Ｐ−２，…と、各ユーザーに共通の、放送電波受信アンテナと、インターネットからの不正なアクセスなどを防止し、インターネットとの接続を制御するアクセス制御装置ＡＣＵ−１と、ユーザーの基本情報や利用状況などを蓄積、管理するユーザー管理装置ＵＡ−１から構成される。ユーザー一人一人に用意された各装置では、ユーザーの各種の要求を受け取るソフトウエア、および、ユーザーの要求に合わせて放送番組の受信、データ化、蓄積を行うソフトウエア、および、ユーザーの要求に合わせて蓄積された放送番組データを転送するソフトウエアが稼動する。また、ユーザー一人一人に用意された各装置は、その使用者であるユーザーとしか接続を許さない。
【０００８】
本発明のネットワークサービスでの実施形態の１例を図２に示す。
本サービスは、提供する放送受信チャンネル分のチューナーＴ１，Ｔ２，…Ｔｎを内蔵し、全ユーザーの放送データを蓄積するサーバーＳ−１と、各チューナー共通の、放送電波受信アンテナと、インターネットからの不正なアクセスなどを防止し、インターネットとの接続を制御するアクセス制御装置ＡＣＵ−１と、ユーザーの利用状況などを蓄積、管理するユーザー管理装置ＵＡ−１から構成される。
【０００９】
ここで、サーバーＳ−１内の記憶装置は、その記憶容量を全ユーザーが分割所有する。また、サーバーＳ−１内では、ユーザーの各種の要求を受け取るソフトウエア、および、ユーザーの要求に合わせて、ストリーム化された放送番組の選択、蓄積を行うソフトウエア、および、ユーザーの要求に合わせて蓄積された放送番組データを転送するソフトウエアが稼動する。また、ユーザーに割り当てられた記憶領域をもつサーバーは、そのユーザーにしかその割り当てられた領域との接続を許さない。
【００１０】
ホスティングサービスの場合でも、ネットワークサービスの場合でも、ユーザーは、ネットワーク経由で、放送番組の受信、蓄積の設定を行い、蓄積が完了した後、ネットワーク経由で、ユーザーのローカルサイトへ放送番組データを転送し、それを再生する。このとき、かならずしも、蓄積完了まで待つ必要はなく、条件によっては、ストリーミング再生としてもかまわない。
【００１１】
【発明の効果】
本発明により、ユーザーは、海外を含めて、視聴を希望する放送のサービスエリア外に居住していてもインターネットや専用線ネットワークやＶＰＮネットワーク等のネットワークを通じて、ユーザー所有またはレンタルもしくはリース等により、ユーザー一人人に用意された装置、または、ユーザーに割り当てられたリソースを遠隔操作し、視聴を希望する放送番組の受信、データ化、蓄積を行うことが可能となり、ネットワークを通じて、その蓄積された放送番組データを取得、閲覧が可能となる。
【図面の簡単な説明】
【図１】本発明をホスティングサービスの形態で実施する場合のシステムの構成例
【図２】本発明をインターネットサービスの形態で実施する場合のシステムの構成例
【符号の説明】
Ｐ−１，Ｐ−２，Ｐ３…    ユーザー一人一人に対して用意された装置
ＡＣＵ−１                インターネットアクセス制御装置
ＵＡ−１                  ユーザー管理装置
Ｔ１，Ｔ２，Ｔ３…        放送番組を受信するチューナー
Ｓ−１                    ユーザーに割り当てられた資源を内蔵するサーバー
【図１】
2004350253.tif 000003
【図２】
2004350253.tif 000004